(57)【要約】【課題】回転操作体の回しすぎによるねじの潰れを防止するとともに、中継筒の空転による受け皿体の送り抜けを防止することができるスティック体の繰り出し容器を提供すること。【解決手段】筒状のケース本体１と、ケース本体１の下部に回転可能に装着された回転操作体２と、回転操作体２に回転不能で上下動可能に係合する中継筒３と、ケース本体１に回転不能で上下動可能に係合する受け皿体４とを備え、中継筒３にケース本体１に螺合するねじ部５を形成するとともに、受け皿体４に中継筒３に螺合する逆ねじ部６を形成し、回転操作体２に縦リブ７を形成するとともに、縦リブ７に嵌合する凹部８を備えた底板部９を中継筒３に形成し、かつ底板部９が上限まで上昇した状態で縦リブ７との嵌合が外れるように縦リブ７の長さを規定する。【選択図】  図１
2005014997.tif 000002
【特許請求の範囲】
【請求項１】
筒状のケース本体と、該ケース本体の下部に回転可能に装着された回転操作体と、該回転操作体に回転不能で上下動可能に係合する中継筒と、ケース本体に回転不能で上下動可能に係合する受け皿体とを備え、中継筒にケース本体に螺合するねじ部を形成するとともに、受け皿体に中継筒に螺合する逆ねじ部を形成したスティック体の繰り出し容器において、前記回転操作体に縦リブを形成するとともに、該縦リブに嵌合する凹部を備えた底板部を中継筒に形成し、かつ該底板部が上限まで上昇した状態で縦リブとの嵌合が外れるように前記縦リブの長さを規定したことを特徴とするスティック体の繰り出し容器。
【請求項２】
筒状のケース本体と、該ケース本体の下部に回転可能に装着された回転操作体と、該回転操作体に回転不能で上下動可能に係合する中継筒と、ケース本体に回転不能で上下動可能に係合する受け皿体とを備え、中継筒にケース本体に螺合するねじ部を形成するとともに、受け皿体を中継筒に抜け止めをなして回転可能に係合させたスティック体の繰り出し容器において、前記回転操作体に縦リブを形成するとともに、該縦リブに嵌合する凹部を備えた底板部を中継筒に形成し、かつ該底板部が上限まで上昇した状態で縦リブとの嵌合が外れるように前記縦リブの長さを規定したことを特徴とするスティック体の繰り出し容器。
【発明の詳細な説明】
【０００１】
【発明の属する技術分野】
本発明は、口紅、リップクリーム、糊等のスティック体の繰り出し容器に関し、特に、特に、回転操作体の回しすぎによるねじの潰れを防止するとともに、中継筒の空転による受け皿体の送り抜けを防止することができるスティック体の繰り出し容器に関するものである。
【０００２】
【従来の技術】
例えば、口紅の繰り出し容器として、筒状のケース本体と、該ケース本体の下部に回転可能に装着された回転操作体と、該回転操作体に回転不能で上下動可能に係合する中継筒と、ケース本体に回転不能で上下動可能に係合する受け皿体とを備え、中継筒にケース本体に螺合するねじ部を形成するとともに、受け皿体に中継筒に螺合する逆ねじ部を形成したスティック体の繰り出し容器がある。
この繰り出し容器は、回転操作体を回すことにより、中継筒を共に回転させながら上昇させるとともに、中継筒に螺合する逆ねじ部の作用により受け皿体をさらに上昇させ、ケース本体から口紅を繰り出すようになっている。
【０００３】
【発明が解決しようとする課題】
ところで、上記従来のスティック体の繰り出し容器においては、受け皿体が上限まで上昇した段階で、それ以上上がって抜けないように、ねじ部の下に円盤状の底板部を設け、この底板部をケース本体の下端に当接させることにより回り止めをしているが、この状態から回転操作体を強く回すと、ねじが潰れて戻らなくなるとともに、回転を続ける中継筒が逆ねじ部を介して受け皿体を送り続け、受け皿体が抜けるという問題を有している。
【０００４】
本発明は、上記従来のスティック体の繰り出し容器が有する問題点に鑑み、回転操作体の回しすぎによるねじの潰れを防止するとともに、中継筒の空転による受け皿体の送り抜けを防止することができるスティック体の繰り出し容器を提供することを目的とする。
【０００５】
【課題を解決するための手段】
上記目的を達成するため、本第１発明のスティック体の繰り出し容器は、筒状のケース本体と、該ケース本体の下部に回転可能に装着された回転操作体と、該回転操作体に回転不能で上下動可能に係合する中継筒と、ケース本体に回転不能で上下動可能に係合する受け皿体とを備え、中継筒にケース本体に螺合するねじ部を形成するとともに、受け皿体に中継筒に螺合する逆ねじ部を形成したスティック体の繰り出し容器において、前記回転操作体に縦リブを形成するとともに、該縦リブに嵌合する凹部を備えた底板部を中継筒に形成し、かつ該底板部が上限まで上昇した状態で縦リブとの嵌合が外れるように前記縦リブの長さを規定したことを特徴とする。
【０００６】
このスティック体の繰り出し容器は、筒状のケース本体と、該ケース本体の下部に回転可能に装着された回転操作体と、該回転操作体に回転不能で上下動可能に係合する中継筒と、ケース本体に回転不能で上下動可能に係合する受け皿体とを備え、中継筒にケース本体に螺合するねじ部を形成するとともに、受け皿体に中継筒に螺合する逆ねじ部を形成したスティック体の繰り出し容器において、前記回転操作体に縦リブを形成するとともに、該縦リブに嵌合する凹部を備えた底板部を中継筒に形成し、かつ該底板部が上限まで上昇した状態で縦リブとの嵌合が外れるように前記縦リブの長さを規定することから、受け皿体が上限まで上昇した段階で中継筒と縦リブの嵌合を解いて、回転操作体を空転させることができ、これにより、回転操作体の回しすぎによるねじの潰れを防止するとともに、中継筒の無理な回転による受け皿体の送り抜けを防止することができる。
また、スティック体を収納するときには、回転操作体を逆に回していれば、縦リブとの嵌合から外れていた中継筒の底板部は、その凹部が回転操作体が空転するうちに縦リブに落ち込むように嵌合することから、回転操作体とねじ部の作用によりスティック体を通常通り収納することができる。
【０００７】
また、本第２発明のスティック体の繰り出し容器は、筒状のケース本体と、該ケース本体の下部に回転可能に装着された回転操作体と、該回転操作体に回転不能で上下動可能に係合する中継筒と、ケース本体に回転不能で上下動可能に係合する受け皿体とを備え、中継筒にケース本体に螺合するねじ部を形成するとともに、受け皿体を中継筒に抜け止めをなして回転可能に係合させたスティック体の繰り出し容器において、前記回転操作体に縦リブを形成するとともに、該縦リブに嵌合する凹部を備えた底板部を中継筒に形成し、かつ該底板部が上限まで上昇した状態で縦リブとの嵌合が外れるように前記縦リブの長さを規定したことを特徴とする。
【０００８】
このスティック体の繰り出し容器は、筒状のケース本体と、該ケース本体の下部に回転可能に装着された回転操作体と、該回転操作体に回転不能で上下動可能に係合する中継筒と、ケース本体に回転不能で上下動可能に係合する受け皿体とを備え、中継筒にケース本体に螺合するねじ部を形成するとともに、受け皿体を中継筒に抜け止めをなして回転可能に係合させたスティック体の繰り出し容器において、前記回転操作体に縦リブを形成するとともに、該縦リブに嵌合する凹部を備えた底板部を中継筒に形成し、かつ該底板部が上限まで上昇した状態で縦リブとの嵌合が外れるように前記縦リブの長さを規定することから、受け皿体が上限まで上昇した段階で中継筒と縦リブの嵌合を解いて、回転操作体を空転させることができ、これにより、回転操作体の回しすぎによるねじの潰れを防止することができる。
また、スティック体を収納するときには、回転操作体を逆に回していれば、縦リブとの嵌合から外れていた受け皿体の底板部は、その凹部が回転操作体が空転するうちに縦リブに落ち込むように嵌合することから、回転操作体とねじ部の作用によりスティック体を通常通り収納することができる。
【０００９】
【発明の実施の形態】
以下、本発明のスティック体の繰り出し容器の実施の形態を図面に基づいて説明する。
【００１０】
図１に、本発明のスティック体の繰り出し容器の第１実施例を示す。
このスティック体の繰り出し容器は、筒状のケース本体１と、該ケース本体１の下部に回転可能に装着された回転操作体２と、該回転操作体２に回転不能で上下動可能に係合する中継筒３と、ケース本体１に回転不能で上下動可能に係合する受け皿体４とを備え、中継筒３にケース本体１に螺合するねじ部５を形成するとともに、受け皿体４に中継筒３に螺合する逆ねじ部６を形成している。
そして、このスティック体の繰り出し容器は、前記回転操作体２に縦リブ７を形成するとともに、該縦リブ７に嵌合する凹部８を備えた底板部９を中継筒３に形成し、かつ該底板部９が上限まで上昇した状態で縦リブ７との嵌合が外れるように前記縦リブ７の長さを規定している。
【００１１】
ケース本体１は内側に縦方向の受け皿用リブ１１を備え、受け皿体４を回転不能で上下動可能に内装するとともに、下部に突起状の突起状の雌ねじ１２を備えて中継筒３のねじ部５と螺合している。
また、ケース本体１の下部には、回転操作体２が回転可能に外嵌されている。
【００１２】
回転操作体２は、ケース本体１に回転可能に外嵌された有底の筒状体からなり、中継筒３の底板部９の凹部８が嵌合する複数の縦リブ７を内側に等間隔に備えている。
縦リブ７は、中継筒３の底板部９が上限まで上昇した状態で、縦リブ７との嵌合が外れるように長さが規定されており、縦リブ７の先端部は、底板部９が離脱したり落ち込んだりしやすいように先細テーパ状に形成されている。
また、縦リブ７の先端部とケース本体１の間には、中継筒３の底板部９が遊嵌される空間部１０が形成されている。
【００１３】
中継筒３は、ケース本体１の雌ねじ１２と螺合するねじ部５を外側に備えるとともに、ねじ部５の先端に、受け皿体４の逆ねじ部６に螺合する突起状の雌ねじ（図示省略）を備えている。
また、中継筒３は、下部に円盤状の底板部９を一体に備え、底板部９は、回転操作体２の縦リブ７に嵌合する多数の凹部８を等間隔に備えている。
【００１４】
受け皿体４は、上部に口紅等を保持する受け皿４１と、該受け皿４１の下部に一体に形成された逆ねじ部６を備えている。
受け皿４１は、ケース本体１の受け皿用リブ１１に嵌合するケース本体用凹部４２を備え、また、逆ねじ部６は中継筒３の雌ねじに螺合している。
【００１５】
かくして、本第１実施例のスティック体の繰り出し容器は、筒状のケース本体１と、該ケース本体１の下部に回転可能に装着された回転操作体２と、該回転操作体２に回転不能で上下動可能に係合する中継筒３と、ケース本体１に回転不能で上下動可能に係合する受け皿体４とを備え、中継筒３にケース本体１に螺合するねじ部５を形成するとともに、受け皿体４に中継筒３に螺合する逆ねじ部６を形成したスティック体の繰り出し容器において、前記回転操作体２に縦リブ７を形成するとともに、該縦リブ７に嵌合する凹部８を備えた底板部９を中継筒３に形成し、かつ該底板部９が上限まで上昇した状態で縦リブ７との嵌合が外れるように前記縦リブ７の長さを規定することから、受け皿体４が上限まで上昇した段階で中継筒３と縦リブ７の嵌合を解いて、回転操作体２を空転させることができ、これにより、回転操作体２の回しすぎによるねじの潰れを防止するとともに、中継筒の無理な回転による受け皿体の送り抜けを防止することができる。
また、スティック体を収納するときには、回転操作体２を逆に回していれば、縦リブ７との嵌合から外れていた中継筒３の底板部９は、その凹部８が回転操作体２が空転するうちに縦リブ７に落ち込むように嵌合することから、回転操作体２とねじ部５の作用によりスティック体を通常通り収納することができる。
【００１６】
次に、図２を参照して、本発明のスティック体の繰り出し容器の第２実施例を説明する。
このスティック体の繰り出し容器は、筒状のケース本体１と、該ケース本体１の下部に回転可能に装着された回転操作体２と、該回転操作体２に回転不能で上下動可能に係合する中継筒３と、ケース本体１に回転不能で上下動可能に係合する受け皿体４とを備え、中継筒３にケース本体１に螺合するねじ部５を形成するとともに、受け皿体４を中継筒３に抜け止めをなして回転可能に係合させている。
そして、このスティック体の繰り出し容器は、前記回転操作体２に縦リブ７を形成するとともに、該縦リブ７に嵌合する凹部８を備えた底板部９を中継筒３に形成し、かつ該底板部９が上限まで上昇した状態で縦リブ７との嵌合が外れるように前記縦リブ７の長さを規定している。
【００１７】
ケース本体１は内側に縦方向の受け皿用リブ１１を備え、受け皿体４を回転不能で上下動可能に内装するとともに、下部に突起状の雌ねじ１２を備えて中継筒３のねじ部５と螺合している。
また、ケース本体１の下部には、回転操作体２が回転可能に外嵌されている。
【００１８】
回転操作体２は、ケース本体１に回転可能に外嵌された有底の筒状体からなり、中継筒３の底板部９の凹部８が嵌合する複数の縦リブ７を内側に等間隔に備えている。
縦リブ７は、中継筒３の底板部９が上限まで上昇した状態で、縦リブ７との嵌合が外れるように長さが規定されており、縦リブ７の先端部は、底板部９が離脱したり落ち込んだりしやすいように先細テーパ状に形成されている。
また、縦リブ７の先端部とケース本体１の間には、中継筒３の底板部９が遊嵌される空間部１０が形成されている。
【００１９】
中継筒３は、ケース本体１の雌ねじ１２と螺合するねじ部５を外側に備えるとともに、ねじ部５の先端の孔（図示省略）に、受け皿体４を抜けないように回転可能に嵌合させている。
また、中継筒３は、下部に円盤状の底板部９を一体に備え、底板部９は、回転操作体２の縦リブ７に嵌合する多数の凹部８を等間隔に備えている。
【００２０】
受け皿体４は、上部に口紅等を保持する受け皿４１と、該受け皿４１の下部に一体に形成された軸部４３を備えている。
受け皿４１は、ケース本体１の受け皿用リブ１１に嵌合するケース本体用凹部４２を備え、また、軸部４３は、中継筒３のねじ部先端の孔に抜けないように回転可能に嵌合されている。
【００２１】
かくして、本第２実施例のスティック体の繰り出し容器は、筒状のケース本体１と、該ケース本体１の下部に回転可能に装着された回転操作体２と、該回転操作体２に回転不能で上下動可能に係合する中継筒３と、ケース本体１に回転不能で上下動可能に係合する受け皿体４とを備え、中継筒３にケース本体１に螺合するねじ部５を形成するとともに、受け皿体４を中継筒３に抜け止めをなして回転可能に係合させたスティック体の繰り出し容器において、前記回転操作体２に縦リブ７を形成するとともに、該縦リブ７に嵌合する凹部８を備えた底板部９を中継筒３に形成し、かつ該底板部９が上限まで上昇した状態で縦リブ７との嵌合が外れるように前記縦リブ７の長さを規定することから、受け皿体４が上限まで上昇した段階で中継筒３と縦リブ７の嵌合を解いて、回転操作体２を空転させることができ、これにより、回転操作体２の回しすぎによるねじの潰れを防止することができる。
また、スティック体を収納するときには、回転操作体２を逆に回していれば、縦リブ７との嵌合から外れていた受け皿体４の底板部９は、その凹部８が回転操作体２が空転するうちに縦リブ７に落ち込むように嵌合することから、回転操作体２とねじ部５の作用によりスティック体を通常通り収納することができる。
【００２２】
以上、本発明の実施例を説明したが、本発明のスティック体の繰り出し容器の構成は、この実施例の記載に限定されるものではなく、その趣旨を逸脱しない範囲において適宜に変更することが可能である。
【００２３】
【発明の効果】
本第１発明のスティック体の繰り出し容器によれば、筒状のケース本体と、該ケース本体の下部に回転可能に装着された回転操作体と、該回転操作体に回転不能で上下動可能に係合する中継筒と、ケース本体に回転不能で上下動可能に係合する受け皿体とを備え、中継筒にケース本体に螺合するねじ部を形成するとともに、受け皿体に中継筒に螺合する逆ねじ部を形成したスティック体の繰り出し容器において、前記回転操作体に縦リブを形成するとともに、該縦リブに嵌合する凹部を備えた底板部を中継筒に形成し、かつ該底板部が上限まで上昇した状態で縦リブとの嵌合が外れるように前記縦リブの長さを規定することから、受け皿体が上限まで上昇した段階で中継筒と縦リブの嵌合を解いて、回転操作体を空転させることができ、これにより、回転操作体の回しすぎによるねじの潰れを防止するとともに、中継筒の無理な回転による受け皿体の送り抜けを防止することができる。
また、スティック体を収納するときには、回転操作体を逆に回していれば、縦リブとの嵌合から外れていた中継筒の底板部は、その凹部が回転操作体が空転するうちに縦リブに落ち込むように嵌合することから、回転操作体とねじ部の作用によりスティック体を通常通り収納することができる。
【００２４】
また、本第２発明のスティック体の繰り出し容器によれば、筒状のケース本体と、該ケース本体の下部に回転可能に装着された回転操作体と、該回転操作体に回転不能で上下動可能に係合する中継筒と、ケース本体に回転不能で上下動可能に係合する受け皿体とを備え、中継筒にケース本体に螺合するねじ部を形成するとともに、受け皿体を中継筒に抜け止めをなして回転可能に係合させたスティック体の繰り出し容器において、前記回転操作体に縦リブを形成するとともに、該縦リブに嵌合する凹部を備えた底板部を中継筒に形成し、かつ該底板部が上限まで上昇した状態で縦リブとの嵌合が外れるように前記縦リブの長さを規定することから、受け皿体が上限まで上昇した段階で中継筒と縦リブの嵌合を解いて、回転操作体を空転させることができ、これにより、回転操作体の回しすぎによるねじの潰れを防止することができる。
また、スティック体を収納するときには、回転操作体を逆に回していれば、縦リブとの嵌合から外れていた受け皿体の底板部は、その凹部が回転操作体が空転するうちに縦リブに落ち込むように嵌合することから、回転操作体とねじ部の作用によりスティック体を通常通り収納することができる。
【図面の簡単な説明】
【図１】本発明のスティック体の繰り出し容器の第１実施例を示し、（ａ）は受け皿体を下限まで下げた状態を示す断面図、（ｂ）は受け皿体を上限まで上げた状態を示す断面図である。
【図２】本発明のスティック体の繰り出し容器の第２実施例を示し、（ａ）は受け皿体を下限まで下げた状態を示す断面図、（ｂ）は受け皿体を上限まで上げた状態を示す断面図である。
【符号の説明】
１    ケース本体
１１  受け皿体用リブ
１２  雌ねじ
２    回転操作体
３    中継筒
４    受け皿体
４１  受け皿
４２  ケース本体用凹部
４３  軸部
５    ねじ部
６    逆ねじ部
７    縦リブ
８    凹部
９    底板部
１０  空間部
【図１】
2005014997.tif 000003
【図２】
2005014997.tif 000004